(57)【特許請求の範囲】
【請求項１】
ほふく運動から直立歩行への推移期の、生後約７乃至１４ヶ月の間の乳幼児の第１の段階のための、大人により案内される、支えおよび補助の要素として用いられるタイプの乳幼児用の杖であって、
杖（１）は、適切な長さ、約１２０ｃｍの管状体（２）により形成され、
管状体（２）は、直線形状の下部管（３）および上部管（４）を結合することにより形成され、
管状体（２）は、後方から前方に向かう方向で２回湾曲し、
前記湾曲は、前述した二つの管の結合部分から開始し、
第１の湾曲は約９０°の角度で前方に向かって閉じ、続いて、約１００°の角度でより開くように、反対の方向に湾曲し、乳幼児がハンドル棒（５）を握ったとき、或いは、乳幼児が直立しているときまたは乳幼児がほふく状態から立ち上がったときに乳幼児の頭部は大人により把持される上部管（４）に当たることはなく、
杖（１）は、乳幼児の案内を大人によって制御するための第１の上方のハンドル棒（１１）と、乳幼児が握るための下方のハンドル棒（５）と、の二つのハンドルを含み、これら二つのハンドルは管状体（２）に直交し、
二つの車輪（１３）が、管状体（２）の下端において地面と接触することを特徴とする乳幼児用の杖。
【請求項２】
２つの管（３）、（４）の間に設けられた十字部材（６）が湾曲により形成され、
上部管（４）よりも径が小さいゴム（８）が、上部管（４）の内部に取り付けられ十字部材（６）に挿入されるよう設けられており、このゴム（８）はこれらの２つの部材を接続させ続け、これらの部材が分離したときに、伸びたゴム（８）を中心として回転させることにより杖（１）を折り曲げることができるようになっていることを特徴とする請求項１記載の乳幼児用の杖。
【請求項３】
ハンドル棒（５）は、十字部材（６）と、この十字部材（６）の両側に取り付けられたハンドル（７）と、により形成され、
十字部材には、上記の下部管（３）および上部管（４）が互いに対して傾斜するようにして取り付けられることを特徴とする請求項１または２記載の乳幼児用の杖。
【請求項４】
杖（１）の端部における管（４）の上端において、杖と乳幼児の頭部との間の接触を防止するような湾曲の後に、他のＴ字部材（９）が設けられており、このＴ字部材（９）には、大人用のハンドル棒（１１）を形成するようなハンドル（１０）が両側に取り付けられていることを特徴とする請求項１記載の乳幼児用の杖。
【請求項５】
直線状の下部管（３）の下端において、地面に接触するような管状体（２）の一部は、ハンドル棒（５）（１１）と平行に配置されるようなナイロン製の横方向の車軸（１２）を有し、この車軸は下部管（３）を貫通して延び、各端部に接続された熱可塑性のゴム製の車輪（１３）を有していることを特徴とする請求項１記載の乳幼児用の杖。
【発明の詳細な説明】
【技術分野】
【０００１】
本発明は、本明細書中に記載されるように、乳幼児用の杖に関する。
【０００２】
とりわけ、本発明の対象は、ほふく運動から直立歩行への推移期の、生後約７乃至１４ヶ月の間の乳幼児の第１の段階のための、大人により案内される、支えおよび補助の要素として用いられるタイプの杖において、安全であり解剖学的に適切な、乳幼児および乳幼児を支える大人の両方にとって便利な杖である。
【背景技術】
【０００３】
公知のように、ある年齢の乳幼児は、全て自分たちで十分な安全性をもって直立歩行できるまで、学習期間を必然的に経験する。歩行器等の様々なタイプの訓練器具が知られているが、上述のような学習期間の間、概して、大人が乳幼児を同伴するようになっている。なぜならば、このタイプの訓練器具はあまり安全ではなく、独立性を与えるだけであり、本当の意味での乳幼児の訓練とはならないからである。
【０００４】
このため、上述のような同伴が、乳幼児の腕を手で持ち上げるように、または乳幼児を脇の真下で掴むように、乳幼児を支えることによって行われる。しかし、乳幼児の腕を手で持ち上げることは、乳幼児の繊細な骨や腱を危険な状態とすることになる。また、両方の場合において、大人の姿勢は乳幼児の背後で快適ではなくなり、このため、長期間この姿勢を維持するのは困難であり、ある人々にとって時には不可能となる。
【０００５】
一方で、現時点において、従来技術に関して、本件出願人は、この明細書で特定されるような乳幼児用の杖と類似する、技術的、構造的および配置的な特徴を有する乳幼児用の杖の存在について今まで知らなかった。
【発明の概要】
【０００６】
このため、本発明の乳幼児用の杖それ自体は、本出願の分野内において明らかな革新を有している。なぜならば、この杖により、厳密に言えば乳幼児を必然的に同伴する大人の直接的な関与により乳幼児を訓練することができ、また、大人が疲れたり乳幼児の第１の段階を同伴するという事実のみにより生じる不自然な姿勢となったりすることを防止できるからである。
【０００７】
このことにより、大人ではなく乳幼児が疲れるまで歩行は続けられる。さらに、乳幼児は、より有利には、歩行に特有の人工工学的な姿勢を保ち、あらゆるタイプの地面を歩くこと、および階段や斜面を昇降することを覚え、たとえ乳幼児が足場を失った場合でも、ハンドル棒を素早く掴むことを覚えることにより、自身を傷つけるという危険を伴うことなく足場を取り戻すことを覚える。
【０００８】
概して乳幼児は杖を素早く習得するが、第１の段階や杖を使う間に、乳幼児の安全性を増加させるような装置を追加的に使用することが望ましい。
【０００９】
特に、本発明は、２つのハンドル棒のセットを有するような杖、および２つの車輪の組み合わせである。ここで、低い位置にある一方のハンドル棒は乳幼児が握り、より高い位置にある他方のハンドル棒は大人により案内される。このため、大人および乳幼児の両方は、固定されたロッド、および主軸により接続される。地面に最も近い主軸の端部の各側部に２つの車輪が設けられており、車輪は好ましくは肉厚が大きいＰＶＣ（ポリ塩化ビニル）により形成されており直径は約７０ｍｍであり、ナイロン製の車軸により接続されている。車軸は、車輪に緩衝を与え、粗い地形に適応することができ、歩行時に杖は様々なタイプの地面をスライドすることができ、人間工学的な方法で乳幼児に手助けを与える。
【００１０】
異なる高さに２つのハンドル棒が存在し、一方のハンドル棒は乳幼児用として地面から約６５ｃｍの高さにあり、他方のハンドル棒は大人用として地面から約１１０ｃｍの高さにあることにより、大人は、乳幼児の経験レベルに基づいて、より大きなまたは小さな程度で乳幼児の歩行を案内することができるようになる。
【００１１】
乳幼児および大人の両方にとってより快適であり、この歩行訓練に充てられる時間を増加させることができ、より短い時間でより容易に達成でき、このため訓練期間を短くすることができる。
【００１２】
新しい乳幼児用の杖は、構造的および構成的な特徴の革新的な構成を有しており、このような目的のためということは知られておらず、このような実用的な効用により、必要とされる唯一の保護を得るための十分な基礎が得られる。
【図面の簡単な説明】
【００１３】
記載を補足し、本発明の特徴のより良い理解を助けるため、本明細書に一連の図面が添付される。これらの図面は、本明細書と一体的なものであり、以下の記載の事項を図示するが、これに限定されることはない。
【図１】本発明による新しい乳幼児用の杖の非制限的な実施形態の例を示す正面図であり、主要部分およびこの主要部分を構成する各構成要素を明らかにするとともに、それらの構造や配置を明らかにする図である。
【図２】図１に示す本発明による杖の例の側面図である。
【図３】本発明による杖がどのように使われるのかを示す図であり、どのようにして乳幼児が杖を使うか、およびどのようにして大人が乳幼児を手助けして案内するかを明らかにする図である。
【発明を実施するための形態】
【００１４】
上述した図面に示すように、番号が付された構成によれば、本発明により特定される杖（１）は、適切な長さ、約１２０ｃｍの管状体または主軸（２）により基本的に形成され、この主軸（２）は、直線形状の下部管（３）、および後方から前方に向かう方向で２回湾曲した上部管（４）を結合することにより形成されることがわかる。この湾曲は、本体（２）の下端から約６５ｃｍの距離の箇所である、前述した２つの管の結合部分から開始する。一実施の形態において、第１の湾曲は約１３５°（プラスマイナス１０°）の角度で前方に向かって開き、続いて、後方に向かって約１０５°（プラスマイナス１０°）の角度でより閉じるような、反対の方向に湾曲する。他の実施の形態において、第１の湾曲は約９０°の角度で前方に向かって閉じ、続いて、約１００°の角度でより開くように、反対の方向に湾曲する。
【００１５】
後方から前方に向かうこの形状により、直立してハンドル棒（５）を握っているような乳幼児が歩いている間にこの乳幼児の頭部に当たることを防止することができる。ハンドル棒（５）は、上記湾曲の開始の箇所に配置され、主軸または管（２）に直交する。
【００１６】
上記のハンドル棒（５）は、十字部材（６）（crosspiece）により形成される。この十字部材（６）は、成形されたＰＶＣ（ポリ塩化ビニル）のＴ字部分を有し、ハンドル（７）がその両側に取り付けられるとともに上記の下部管（３）および上部管（４）が取り付けられる。より有利には、十字部材（６）により、より便利な保管および搬送を行うために、杖（１）の分解を行うことができるようになる。
【００１７】
杖（１）が組み立てられたときに、上部管（４）の内部に取り付けられ上記の十字部材（６）に挿入されるような、より径が小さいゴム片（８）は、これらの２つの部材を接続させ続ける。杖を折り曲げようとしたときに、これらの部材のうちの一つを押すだけで十分である。この際に、この部材は十字部材（６）の一端から解放され、伸びたゴム（８）を中心として回転することができるようになっている。
【００１８】
杖（１）の端部における管（４）の上端において、杖と乳幼児の頭部との間の接触を防止するような湾曲の後に、他のＴ字部材（９）が設けられている。このＴ字部材（９）には、大人用のハンドル棒（１１）を形成するようなハンドル（１０）が両側に取り付けられている。このことにより、直立した快適な姿勢で、片手または両手で杖（１）を案内することができる。
【００１９】
最後に、直線状の下部管（３）の下端において、地面に接触するような管状体（２）の一部は、上記のハンドル棒（５）（１１）と平行に配置されるようなナイロン製の横方向の車軸（１２）を有し、この車軸は下部管（３）を貫通して延び、各端部に接続された熱可塑性のゴム製の車輪（１３）を有している。
【００２０】
車軸（１２）および対応するナイロン製のナットおよびワッシャーにより、適切な緩衝を行うことができる。また、車輪（１３）の独立した変形により、粗い地形での適用を手助けする。
【００２１】
本発明の特徴について、どのようにして使用するかということを含め、十分に記載した。本発明の範囲および本発明から得られる利益を理解するのに、また、どのようにしてその再生産を行うのかを理解するのに、当業者に対してより広い範囲の説明を行う必要はないと考えられる。本質的な原理が変更されず、また修正されないのであれば、本発明の本質的な特徴の範囲内において、例示的に示したものとは細部が異なり、必要とされる保護を同様に行うような他の実施形態を行うことができる。
【図１】
0005335770.tif 000002
【図２】
0005335770.tif 000003
【図３】
0005335770.tif 000004